(57)【要約】【課題】電装ユニットの温度上昇を抑制して電装ユニットの信頼性を高めた冷蔵庫を提供。【解決手段】冷蔵庫本体の天面後部に圧縮機６と第１のファン５とを有する機械室３を配置し、前記機械室に給排気口を設けるとともに、前記機械室近傍の天面に電装ユニット２０を埋め込み、前記機械室の給排気口のうち少なくとも給気口となる上部吸入側天面グリル１５は電装ユニット２０の上面を覆う電装カバー２２が面する冷蔵庫本体の天面であって、機械室の上面あるいは電装カバーの上面より低い位置に開口させた構成としてある。これにより、機械室のファンが機械室内に吸引する圧縮機冷却用の空気の一部を用いて電装カバーを冷却し、電装カバーで覆った電装ユニットの温度上昇を抑制することができ、しかもこの冷却冷蔵庫本体天面上に物品等が載置されても行うことができ、電装ユニットの温度上昇を抑制して電装ユニットの信頼性を高めることができる。【選択図】図５
2015031498.tif 000002
【特許請求の範囲】
【請求項１】
冷蔵庫本体の天面後部に圧縮機とこれを冷却するファンとを有する機械室を配置し、前記機械室に給排気口を設けるとともに、前記機械室近傍の天面に電装ユニットを埋め込み、前記機械室の給排気口のうち少なくとも給気口は前記電装ユニットの上面を覆う電装カバーが面する前記冷蔵庫本体の天面であって、前記機械室の上面あるいは電装カバーの上面より低い位置に開口させた冷蔵庫。
【請求項２】
電装カバーはその中央部分を凸部形状とするとともに、給気口は電装カバーの前記凸部上面より低い位置に開口させた請求項１記載の冷蔵庫。
【請求項３】
機械室の給気口へと流れる空気が電装カバー側から給気口へと向かって流れるように案内する給気ガイドを備えた請求項１または２記載の冷蔵庫。
【請求項４】
機械室の排気口は給気口とともに冷蔵庫本体の天面上に開口させた請求項１〜３のいずれか１項記載の冷蔵庫。
【請求項５】
冷蔵庫本体天面上の機械室の給気口側と排気口側との間に立設する仕切壁部を有した請求項１〜４のいずれか１項記載の冷蔵庫。
【請求項６】
機械室のファンの吸引側を電装ユニットに連通させるとともに、電装カバーに吸気口を設けた請求項１〜５のいずれか１項記載の冷蔵庫。
【請求項７】
電装ユニットは発熱部品あるいは放熱フィンを機械室の給気口側に配置して構成した請求項１〜６のいずれか１項記載の冷蔵庫。
【発明の詳細な説明】
【技術分野】
【０００１】
本発明は、冷蔵庫、特にその電装ユニット設置構成に関するものである。
【背景技術】
【０００２】
一般に冷蔵庫は、圧縮機で冷媒を圧縮し、この冷媒を冷却器で蒸発させて冷気を生成し、当該冷気をファンにより冷蔵室、冷凍室等に供給して食品を冷却するようになっている。そして、このような冷蔵庫の中には、上記圧縮機、ファン等を制御する電装ユニットを冷蔵庫本体の天面に設けたものが見られる（例えば、特許文献１参照）。
【０００３】
図１０は特許文献１に記載された冷蔵庫を示し、冷蔵室１０１、冷凍室１０２、野菜室１０３を有する冷蔵庫本体１０４の天面後部に電装ユニット１０５が設けてある。
【０００４】
この冷蔵庫は電装ユニット１０５を冷蔵庫本体１０４の天面に設けてあるから、電装ユニット１０５を冷蔵庫本体１０４の背面に設ける場合に比べ冷蔵庫本体１０４の背面部壁厚を薄くでき、その分、冷蔵室１０１、冷凍室１０２、野菜室１０３の収納容積を増大させることができる。
【先行技術文献】
【特許文献】
【０００５】
【特許文献１】特開２００６−１８９１７９号公報
【発明の概要】
【発明が解決しようとする課題】
【０００６】
しかしながら、前記従来の構成では、電装ユニット１０５が天面に設けてあるから、冷蔵庫本体１０４の天面に物品等を載置されると、電装ユニット１０５のからの放熱が悪くなり、その温度が高くなりがちであった。この温度は安全上問題ないレベルに維持されるように設計されてはいるものの、長時間高め状態が続くと電装ユニット１０５の劣化が進み、寿命が短くなるなどその信頼性が低下する恐れがある。
【０００７】
そこで本発明はこのような点に鑑みてなしたもので、合理的な構成によって電装ユニットの温度上昇を抑制して電装ユニットの信頼性を高めた冷蔵庫を提供することを目的とする。
【課題を解決するための手段】
【０００８】
前記従来の課題を解決するために、本発明の冷蔵庫は、冷蔵庫本体の天面後部に圧縮機とこれを冷却するファンとを有する機械室を配置し、前記機械室に給排気口を設けるとともに、前記機械室近傍の天面に電装ユニットを埋め込み、前記機械室の給排気口のうち少なくとも給気口は前記電装ユニットの上面を覆う電装カバーが面する前記冷蔵庫本体の天面であって、前記機械室の上面あるいは電装カバーの上面より低い位置に開口させた構成としてある。
【０００９】
これにより、冷蔵庫本体の天面後部に設けた機械室のファンによって機械室内に吸引する圧縮機冷却用の空気の一部が電装カバーの表面付近を流れてこれを冷却するようになり、この電装カバーで覆った電装ユニットの温度上昇を抑制することができる。しかもこの冷却空気の流れは冷蔵庫本体の天面上で物品載置面となる機械室の上面あるいは電装カバーの上面より低い位置に給気口が開口しているので、冷蔵庫本体天面上に物品等が載置されても、給気口への空気の流れを確保して冷却を行うことができ、電装ユニットの熱劣化
を防止することができる。そして、この冷却は、冷蔵庫本体の天面後部に機械室を設けその機械室に圧縮機を配置して冷蔵庫本体内の収納スペースを増大させる構成を利用して行っているので、何らの部品を追加することなく、合理的に行うことができ、安価に提供することができる。
【発明の効果】
【００１０】
本発明の冷蔵庫は、冷蔵庫本体天面に設けた電装ユニットを合理的に冷却してその温度上昇を抑制することができ、大幅なコストアップを招くことなく電装ユニットの信頼性ひいては冷蔵庫本体の信頼性を向上させることができる。
【図面の簡単な説明】
【００１１】
【図１】本発明の実施の形態１における冷蔵庫の上部機械室の縦断面図
【図２】同実施の形態１における冷蔵庫を背面側から見た斜視図
【図３】同実施の形態１における冷蔵庫の背面側上部を示す斜視図
【図４】同実施の形態１における冷蔵庫の電装カバーを外した時の背面上部を示す斜視図
【図５】同実施の形態１における冷蔵庫の電装カバー及び機械室カバーを外した時の背面上部を示す斜視図
【図６】同実施の形態１における冷蔵庫の機械室カバーを外した時の背面上部の分解斜視図
【図７】同実施の形態１における冷蔵庫の上部吸入側天面グリルの断面図
【図８】本発明の実施の形態２における冷蔵庫の背面上部を示す斜視図
【図９】本発明の実施の形態３における冷蔵庫の電装カバー及び機械室カバーを外した時の斜視図
【図１０】従来の冷蔵庫の断面図
【発明を実施するための形態】
【００１２】
第１の発明は、冷蔵庫本体の天面後部に圧縮機とこれを冷却するファンとを有する機械室を配置し、前記機械室に給排気口を設けるとともに、前記機械室近傍の天面に電装ユニットを埋め込み、前記機械室の給排気口のうち少なくとも給気口は前記電装ユニットの上面を覆う電装カバーが面する前記冷蔵庫本体の天面であって、前記機械室の上面あるいは電装カバーの上面より低い位置に開口させた構成としてある。
【００１３】
これにより、冷蔵庫本体の天面後部に設けた機械室のファンによって機械室内に吸引する圧縮機冷却用の空気の一部が電装カバーの表面付近を流れてこれを冷却するようになり、この電装カバーで覆った電装ユニットの温度上昇を抑制することができる。しかもこの冷却空気の流れは冷蔵庫本体の天面上で物品載置面となる機械室の上面あるいは電装カバーの上面より低い位置に給気口が開口しているので、冷蔵庫本体天面上に物品等が載置されても、給気口への空気の流れを確保して冷却を行うことができ、電装ユニットの熱劣化を防止することができる。そして、この冷却は、冷蔵庫本体の天面後部に機械室を設けその機械室に圧縮機を配置して冷蔵庫本体内の収納スペースを増大させる構成を利用して行っているので、何らの部品を追加することなく、合理的に行うことができ、安価に提供することができる。
【００１４】
第２の発明は、第１の発明において、電装カバーはその中央部分を凸部形状とするとともに、給気口は電装カバーの前記凸部上面より低い位置に開口させた構成としてある。
【００１５】
これにより冷蔵庫本体天面に載置する物品等が小さく冷蔵庫本体天面後部の機械室上面まで達することなく電装カバーの上部だけに載置されたとしても、給気口を開口状態に保ち機械室へと吸引される圧縮機冷却用空気の一部が電装カバーの凸部周囲を流れてこれを
冷却するようになり、確実な電装ユニットの冷却が可能となる。
【００１６】
第３の発明は、第１または第２の発明において、機械室の給気口へと流れる空気が電装カバー側から給気口へと向かって流れるように案内する給気ガイドを備えた構成としてある。
【００１７】
これにより機械室へと流れる圧縮機冷却用空気はより多くの空気が電装カバー側から吸引されるようになって電装カバーの冷却効果が高まり、より確実に電装ユニットの冷却が可能となる。
【００１８】
第４の発明は、第１〜第３の発明において、機械室の排気口は給気口とともに冷蔵庫本体の天面上に開口させた構成としてある。
【００１９】
これにより機械室から流れ出る圧縮機冷却後の空気は給気口が開口している冷蔵庫本体天面上から吹出すことになってこの排気口周囲の空気を押し広げ、これにより排気口から給気口へと向かう流れが形成されるようになって当該流れが電装カバー上面の空気流れを助成するようになり、電装カバーの冷却効果が高まって、さらに冷却ユニットの冷却効果を高めることができる。
【００２０】
第５の発明は、第１〜第４の発明において、冷蔵庫本体天面上の機械室の給気口側と排気口側との間に立設する仕切壁部を備えた構成としてある。
【００２１】
これにより圧縮機を冷却し機械室から流れ出た比較的温度の高い空気が機械室の給気口側へとショートサーキットするのを効果的に防止でき、電装ユニットの冷却効果を高いものに維持することができる。
【００２２】
第６の発明は、第１〜第５の発明において、機械室のファンの吸引側を電装ユニットに連通させるとともに、電装カバーに吸気孔を設けた構成としてある。
【００２３】
これにより機械室のファンは電装ユニット部分からも空気を吸引するようになって電装ユニットを直接空気冷却するようになり、電装ユニットの冷却を一段と強力なものとすることができる。
【００２４】
第７の発明は、第１〜第６の発明において、電装ユニットは発熱部品あるいは放熱フィンを機械室の給気口側に配置した構成としてあり、これにより電装ユニットの発熱部品あるいは放熱フィン部分の冷却効果が高まり、電装ユニットを効果的に冷却することができる。
【００２５】
以下、本発明の実施の形態について、図面を参照しながら説明する。なお、この実施の形態によってこの発明が限定されるものではない。
【００２６】
（実施の形態１）
図１は本発明の実施の形態１における冷蔵庫の上部機械室の縦断面図、図２は同実施の形態１における冷蔵庫を背面側から見た斜視図、図３は同実施の形態１における冷蔵庫の背面側上部を示す斜視図、図４は同実施の形態１における冷蔵庫の電装カバーを外した時の背面上部を示す斜視図、図５は同実施の形態１における冷蔵庫の電装カバー及び機械室カバーを外した時の背面上部を示す斜視図、図６は同実施の形態１における冷蔵庫の機械室カバーを外した時の背面上部の分解斜視図、図７は同実施の形態１における冷蔵庫の上部吸入側天面グリルの断面図である。
【００２７】
図１において、１は冷蔵庫、２はその冷蔵庫本体で、内部には冷蔵室、冷凍室、野菜室等の複数の貯蔵室が設けてある。３は冷蔵庫本体２の天面後部に設置された上部機械室、４は空冷凝縮器、５は圧縮機冷却用の第１のファン、６は圧縮機である。上部機械室３には、風上から順に空冷凝縮器４、第１のファン５、圧縮機６が設置されており、第１のファン５を駆動することにより空冷凝縮器４と圧縮機６が空冷される。
【００２８】
ここで、第１のファン５はファンリング７に取り付けられ、ファンリング７は上部機械室３内の風路を第１のファン５の風上側と風下側に区分している。また、空冷凝縮器４の上部には、空冷凝縮器４を通過せずに第１のファン５に直接吸入される外気が通過するバイパス風路８を形成している。なお、バイパス風路８は空冷凝縮器４が埃付着などによって閉塞した場合に、外気を直接第１のファン５に供給するものであり、空冷凝縮器４の１０％〜１５％程度の高さに相当する５〜１５ｍｍの空間が望ましい。バイパス風路８の高さが５ｍｍ（１０％）未満では空冷凝縮器４が完全に閉塞した場合に風量低下が著しく、バイパス風路８の高さが１５ｍｍ（１５％）より高いと空冷凝縮器４を通過する風量が低下して十分な放熱能力が得られない。
【００２９】
また、９は冷蔵庫本体２の背面下部に設置された下部機械室、１０は第２のファン、１１は庫内（図示せず）の除霜水を貯留する蒸発皿、１２は冷蔵庫本体２の背面コーナー部に設けられた連通風路、１３は下部機械室カバーである。下部機械室９には、風上から順に蒸発皿１１、第２のファン１０が設置されており、第２のファン１０を駆動することにより、冷蔵庫本体２の下部付近の外気を吸入して蒸発皿１１に貯留された除霜水の蒸発を促進するとともに、蒸発皿１１と連通風路１２を介して空冷凝縮器４に除霜水の蒸発により冷却された外気を供給する。第２のファン１０の風上側に蒸発皿１１を設置することにより第２のファン１０の吐出側の通風抵抗を低く保つことができ、さらに除霜水の蒸発によって外気よりも温度が低下するため、十分な風量の低温空気を連通風路１２を介して空冷凝縮器４に供給することができるので効率よく放熱することができる。
【００３０】
図２において、１４は上部機械室カバー、１５は上部機械室カバー１４に設けられ冷蔵庫本体２の天面から外気を吸入する上部天面給気口（以下、上部吸入側天面グリルと称す）、１６は上部機械室カバー１４に設けられ下後方の連通風路１２から外気を吸入する上部背面給気口（以下、上部吸入側背面グリルと称す）、１７は冷蔵庫本体２の上前方へ排気する天面排気口（以下、上部吐出側天面グリルと称す）、１８は冷蔵庫１の上方へ廃熱を廃棄する上部背面排気口（以下、上部吐出側背面グリルと称す）である。なお、上記上部吸入側背面グリル１６は冷蔵庫本体２の壁面から凹んだ形状とすることで、冷蔵庫１の背面や側面が壁に近接した場合でも連通風路１２と連通することができる。
【００３１】
ここで、前記上部機械室カバー１４と上部吸入側天面グリル１５及び上部吐出側天面グリル１７とは、上部機械室カバー１４の上面より低い位置に上部吸入側天面グリル１５及び上部吐出側天面グリル１７が開口するように設定してある。そして、図７に示すように上部吸入側天面グリル１５の桟１９はその上部を冷蔵庫１の前方へ傾斜させてあり、前方から空気を吸引させて矢印ａ方向の流れを発生させる給気ガイドとしてある。
【００３２】
さらに、前記冷蔵庫本体２天面の前記機械室３前方側には機械室３に沿わせて電装ユニット２０が組み込んである。この電装ユニット２０は前記圧縮機６、第１のファン５、第２のファン１０等を制御するもので、前記機械室３前方側に形成した凹部２１に組み込み、その上方を冷蔵庫本体天面にビス止めした電装カバー２２で覆ってある。また、上記電装ユニット２０は凹部２１の底面から浮かせて底面との間に空気断熱層を形成するように取り付けてあり、図示しないもののインバータ部品等の発熱部品や放熱部品は前記機械室３の上部吸入側天面グリル１５側に配置してある。
【００３３】
上記電装ユニット２０の電装カバー２２はその中央部分を凸部形状とし、その凸部２３の上面は前記上部機械室カバー１４の上面と略同じ高さとして、前記上部機械室３の上部吸入側天面グリル１５及び上部吐出側天面グリル１７の開口面より高く、すなわち前記上部吸入側天面グリル１５及び上部吐出側天面グリル１７の開口面が電装カバー２２の凸部２３上面より低い位置で開口しているように設定してある。
【００３４】
以上のように構成したこの冷蔵庫は、圧縮機等を配置する上部機械室３を冷蔵庫本体２の天面後部に設けているので、冷蔵庫本体２内の収納スペース特に最下部の野菜室の収納容積を増大させことができ、しかもこの上部に配置した圧縮機６と空冷凝縮器４を第１のファン５によって空冷し、信頼性の高いものとすることができる。すなわち、第１のファン５が上部吸入側天面グリル１５及び上部吸入側背面グリル１６から機械室３内に空気を吸引して、この吸引空気を上部吐出側天面グリル１７及び上部吐出側背面グリル１８から外部へと吐出させることによって機械室３内の圧縮機６と空冷凝縮器４を冷却し、その温度上昇を抑制して信頼性を高めるのである。
【００３５】
そして、この時、前記上部吸入側天面グリル１５から吸引される圧縮機冷却用の空気は、冷蔵庫本体２天面上の空気に流れを生じさせ、この空気の流れが機械室３前方側に設けた電装ユニット２０を覆う電装カバー２２の上面を前記上部吸入側天面グリル１５に向かって流れる気流を生じさせる。この気流によって前記電装カバー２２は冷却され、この電装カバー２２で覆った電装ユニット２０も冷却されてその温度上昇が抑制されるようになる。
【００３６】
また、上記上部吸入側天面グリル１５は上部機械室カバー１４及び電装カバー２２の上面より低い位置に開口しているから、使用者が冷蔵庫本体２の天面上に物品等を載置しても、この物品等によって上部吸入側天面グリル１５が塞がれることがない。したがって、上部吸入側天面グリル１５は前記物品等と冷蔵庫本体天面との間から圧縮機冷却用の空気を吸引し続け、この空気が電装カバー２２の凸部２３周囲表面を流れて電装カバー２２を冷却、ひいては電装ユニット２０を冷却し続けることができ、電装ユニット２０の温度上昇を確実に防止することができる。
【００３７】
特にこの実施の形態では、上記電装カバー２２はその中央部分を凸部形状とするとともに、上部吸入側天面グリル１５は電装カバー２２の前記凸部２３上面より低い位置に開口させた構成となっているから、物品等が小さく冷蔵庫本体天面後部の機械室３上面まで達することなく電装カバー２２の上部だけに載置されたとしても、上部吸入側天面グリル１５への空気の流れを確保することができ、機械室３へと吸引される圧縮機冷却用空気の一部が電装カバー２２の凸部２３周囲を流れてこれを冷却するようになり、確実な電装ユニット２０の冷却が可能となる。
【００３８】
また、前記上部吸入側天面グリル１５はその桟１９で構成した給気ガイドが前方から空気を吸引、すなわち機械室３の前方に設けた電装ユニット２０設置面側から空気を吸引するようになるので、電装ユニット２０を覆う電装カバー２２の冷却効果が高まり、より確実に電装ユニット２０を冷却することができる。
【００３９】
さらに、この実施の形態では前記機械室３の排気口となる上部吐出側天面グリル１７も給気口となる上部吸入側天面グリル１５とともに冷蔵庫本体２の天面上に開口させてあるから、機械室３から流れ出る圧縮機冷却後の空気は上部吸入側天面グリル１５が開口している冷蔵庫本体天面上から吹出すことになってこの上部吐出側天面グリル１７周囲の空気を押し広げ、これにより上部吐出側天面グリル１７から上部吸入側天面グリル１５へと向かう流れが形成されるようになる。この上部吸入側天面グリル１５への流れが電装カバー２２上面の空気流れを助成するようになり、電装カバー２２の冷却効果が高まって、さら
に電装ユニット２０の冷却効果を高めることができる。
【００４０】
また、前記電装ユニット２０もその発熱部品あるいは放熱フィンを機械室３の上部吸入側天面グリル１５側に配置した構成としてあるから、上部吸入側天面グリル１５に集中してくる吸引空気によって効率よくその発熱部品あるいは放熱フィン部分を冷却することができ、電装ユニット２０をさらに効果的に冷却することができる。
【００４１】
また、本実施の形態では機械室３に冷蔵庫本体天面に開口する上部吸入側天面グリル１５及び上部吐出側天面グリル１７とともに、冷蔵庫本体背面側に開口する上部吸入側背面グリル１６及び上部吐出側背面グリル１８を設けているので、冷蔵庫本体天面上に物品等が載置されて冷蔵庫本体天面に開口する上部吸入側天面グリル１５及び上部吐出側天面グリル１７側の吸排気抵抗が大きくなった場合にも、この冷蔵庫本体背面側に開口する上部吸入側背面グリル１６及び上部吐出側背面グリル１８を介して機械室３の給排気量を確保できる。特にこの実施の形態では下部機械室９の蒸発皿１１の水と熱交換して低温化した空気を第２のファン１０と連通風路１２を介して上部吸入側背面グリル１６に供給する構成としてあるから、冷蔵庫本体天面側に開口する上部吸入側天面グリル１５から吸引される空気量が減少しても、圧縮機６を効果的に冷却し空冷凝縮器４は効率よく放熱することができ、第１のファン５や空冷凝縮器４の小型化が図れるとともに、凝縮温度を低減することで省エネを図ることができる。また、圧縮機６等の冷却を保証して冷蔵庫の信頼性を向上させることができる。
【００４２】
なお、冷蔵庫本体背面側に開口する上部吸入側背面グリル１６及び上部吐出側背面グリル１８を設けていても、この冷蔵庫本体背面側に開口する上部吸入側背面グリル１６及び上部吐出側背面グリル１８は、通常、冷蔵庫本体２がその背面を家屋の壁に近接して設置されるためその給排気抵抗が大きく、よって、上部機械室３への吸排気は主に冷蔵庫本体天面に開口する上部吸入側天面グリル１５及び上部吐出側天面グリル１７によって行われるようになるので、前記した冷蔵庫本体天面側の給排気によって電装ユニット２０の冷却が確保されるものである。
【００４３】
なお、圧縮機６が可変速圧縮機の場合、圧縮機６の能力に合わせて、第１のファン５と第２のファン１０の速度を可変してもよい。圧縮機６が最大能力となる場合には、第１のファン５と第２のファン１０の風量を最大になるように制御すれば、放熱能力を確保することができる。一方、圧縮機６が最大能力でない場合には、第１のファン５と第２のファン１０との風量を抑制して制御することで、駆動電力を抑制することができ省エネを図ることができる。
【００４４】
また、圧縮機６の仕事量が少ない基準温度未満の外気温度においては、第２のファン１０を停止して駆動電力の削減を図ることができる。なお、第２のファン１０を常に停止すると蒸発皿１１内の除霜水が十分蒸発できない場合には、圧縮機６の停止中に、第２のファン１０を所定時間だけ駆動してもよい。
【００４５】
このように、空冷凝縮器４と圧縮機６の温度上昇が特に問題となる高外気温時には第２のファン１０を駆動して効率よく冷却するとともに、空冷凝縮器４と圧縮機６の温度上昇が特に問題とならない低外気温時には第２のファン１０を停止して省エネを図ることができる。
【００４６】
（実施の形態２）
図８は実施の形態２にける冷蔵庫を示す。この実施の形態２の冷蔵庫は冷蔵庫本体天面上の上部機械室３の上部吸入側天面グリル１５と上部吐出側天面グリル１７との間に仕切壁部２４を立設設置した構成としたものである。
【００４７】
この構成によれば、上部機械室３の上部吐出側天面グリル１７から吹出す圧縮機冷却後の比較的温度の高い空気が機械室３の給気口側へとショートサーキットするのを効果的に防止でき、電装ユニット２０の冷却効果を高いものに維持することができる。
【００４８】
このようなショートサーキット防止効果は先の実施の形態１でも上部機械室カバー１４の上面がその両端部の上部吸入側天面グリル１５及び上部吐出側天面グリル１７の開口面より高くなっていることによって発揮しており、このような形態も仕切壁部となるものである。そしてこの実施の形態１のような形態であれば仕切壁部の幅が広いのでその高さが比較的低くても効果的にショートサーキット防止効果が得られる。
【００４９】
その他の構成、作用効果は先の実施の形態１と同様であり、説明は省略する。
【００５０】
（実施の形態３）
図９は実施の形態３にける冷蔵庫を示す。この実施の形態３の冷蔵庫は機械室３と電装ユニット設置の凹部２１との間に通気路２５を設けて、機械室内の第１のファン５の吸引側を電装ユニット２０に連通させるとともに、この連通部分と反対側の電装カバー２２の一部に吸引孔２６を設けた構成としたものである。
【００５１】
この構成によれば、上部機械室の第１のファン５の駆動によって、電装カバー２２の吸引孔２６から空気が電装ユニット２０を設置した凹部２１内に吸引され、この吸引された空気が凹部２１内の電装ユニット２０を冷却した後、通気路２５を介して上部機械室３へと吸引されるようになる。すなわち、第１のファン５は電装ユニット２０を設置した凹部２１からも空気を吸引するようになって電装ユニット２０を直接空気冷却するようになり、電装ユニット２０の冷却を一段と強力なものとすることができる。
【００５２】
その他の構成、作用効果は先の実施の形態１と同様であり、説明は省略する。
【００５３】
以上、本発明に係る冷蔵庫について、上記実施の各形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【００５４】
例えば、本実施の形態では、機械室３の給排気口となるグリルを冷蔵庫本体２の背面側にも設けたが、これは冷蔵庫本体２の天面側だけに設けてあればよいものであり、無くてもよいものである。また、冷蔵庫本体２の天面に開口させた排気側の上部吐出側天面グリル１７は冷蔵庫本体２の天面で開口するのではなく冷蔵庫本体２の背面側で開口していてもよく、少なくとも給気口となる上部吸入側天面グリル１５が電装ユニット２０を埋め込んだ冷蔵庫本体２の天面に開口していればよいものである。
【産業上の利用可能性】
【００５５】
以上のように、本発明にかかる冷蔵庫は、冷蔵庫本体天面に設けた電装ユニットを合理的に冷却してその温度上昇を抑制することができ、大幅なコストアップを招くことなく電装ユニットの信頼性ひいては冷蔵庫本体の信頼性を向上させることができるから、自動販売機など他の冷凍冷蔵応用商品にも適用できる。
【符号の説明】
【００５６】
１  冷蔵庫
２  冷蔵庫本体
３  上部機械室（機械室）
４  空冷凝縮器
５  第１のファン
６  圧縮機
７  ファンリング
８  バイパス風路
９  下部機械室
１０  第２のファン
１１  蒸発皿
１２  連通風路
１３  下部機械室カバー
１４  上部機械室カバー
１５  上部吸入側天面グリル（給気口）
１６  上部吸入側背面グリル
１７  上部吐出側天面グリル（排気口）
１８  上部吐出側背面グリル
１９  桟（給気ガイド）
２０  電装ユニット
２１  凹部
２２  電装カバー
２３  凸部
２４  仕切壁部
２５  通気路
２６  吸引孔
【図１】
2015031498.tif 000003
【図２】
2015031498.tif 000004
【図３】
2015031498.tif 000005
【図４】
2015031498.tif 000006
【図５】
2015031498.tif 000007
【図６】
2015031498.tif 000008
【図７】
2015031498.tif 000009
【図８】
2015031498.tif 000010
【図９】
2015031498.tif 000011
【図１０】
2015031498.tif 000012